(57)【要約】      （修正有）【課題】第一タンクから第二タンクへのインクの供給時における制御部の誤動作又は停止に対応可能なインクジェット記録装置を提供する。【解決手段】インクジェット記録装置１０は、インクジェットヘッド１２と第一タンク１４と第二タンク１６と検出器１８と供給流路２０と送液部２２と供給弁２４と監視回路部４４と制御部３２を備える。検出器１８は、第二タンク１６に貯留されたインクの量を検出する。送液部は、供給流路を介して第一タンク１４から第二タンク１６にインクを送る。供給弁２４は、供給流路２０を開放させる第一状態と閉鎖させる第二状態に切り替わる。制御部は、検出器から下限値信号を取得した場合、供給弁を第一状態へと切り替える。制御部３２は、供給弁２４を第二状態へと切り替える。監視回路部４４は、供給弁２４を第二状態へと切り替える。【選択図】図１
2016159539.tif 000002
【特許請求の範囲】
【請求項１】
インクを吐出するインクジェットヘッドと、
インクを貯留する第一タンクと、
前記第一タンクから供給されたインクを貯留し、前記インクジェットヘッドと接続される第二タンクと、
前記第二タンクに貯留されたインクの量を検出する検出器と、
前記第一タンクと前記第二タンクとを接続し、前記第一タンクから前記第二タンクに供給されるインクが流れる供給流路と、
前記供給流路を介して前記第一タンクから前記第二タンクにインクを送る送液部と、
前記供給流路の途中に設けられ、前記供給流路を開放させる第一状態と、前記供給流路を閉鎖させる第二状態と、に切り替わる供給弁と、
時間の経過を計測する第一タイマを含み、前記供給弁を前記第二状態へと切り替える監視回路部と、
前記検出器から、前記第二タンクに貯留されたインクの量が基準量である、又は前記第二タンクに貯留されたインクの量が基準量を下回ったことを示す下限値信号を取得し、前記供給弁を前記第一状態へと切り替え、前記供給弁を前記第二状態へと切り替え、前記監視回路部に前記第一タイマによる時間の計測を新たに始動させる制御部と、を備え、
前記制御部は、
前記検出器から前記下限値信号を取得した場合、前記監視回路部に前記第一タイマによる時間の計測を新たに始動させ、前記供給弁を前記第一状態へと切り替え、
前記供給弁を前記第一状態へと切り替えた場合、前記供給弁を前記第二状態へと切り替え、
前記監視回路部は、前記第一タイマにより計測される第一計測時間が第一基準時間となった場合、又は前記第一計測時間が第一基準時間を超えた場合、前記供給弁を前記第二状態へと切り替える、インクジェット記録装置。
【請求項２】
前記制御部は、
時間の経過を計測する第二タイマを含み、
前記検出器から前記下限値信号を取得した場合、前記第二タイマによる時間の計測を新たに始動し、
前記第二タイマにより計測される第二計測時間が第二基準時間となった場合、又は前記第二計測時間が第二基準時間を超えた場合、前記供給弁を前記第二状態へと切り替え、
前記監視回路部は、前記第二基準時間より長い前記第一基準時間を基準として、前記供給弁を前記第二状態へと切り替える、請求項１に記載のインクジェット記録装置。
【請求項３】
前記制御部は、
前記検出器から、前記第二タンクに貯留されたインクの量が前記基準量より多い上限値である、又は前記第二タンクに貯留されたインクの量が前記上限値を上回ったことを示す上限値信号を取得し、
前記検出器から前記上限値信号を取得した場合、前記供給弁を前記第二状態へと切り替える、請求項１又は請求項２に記載のインクジェット記録装置。
【請求項４】
インクを吐出するインクジェットヘッドと、
インクを貯留する第一タンクと、
前記第一タンクから供給されたインクを貯留し、前記インクジェットヘッドと接続される第二タンクと、
前記第二タンクに貯留されたインクの量を検出する検出器と、
前記第一タンクと前記第二タンクとを接続し、前記第一タンクから前記第二タンクに供給されるインクが流れる供給流路と、
前記供給流路を介して前記第一タンクから前記第二タンクにインクを送る送液部と、
前記供給流路の途中に設けられ、前記供給流路を開放させる第一状態と、前記供給流路を閉鎖させる第二状態と、に切り替わる供給弁と、
前記検出器から、前記第二タンクに貯留されたインクの量が基準量より多い上限値である、又は前記第二タンクに貯留されたインクの量が前記上限値を上回ったことを示す上限値信号を取得し、前記供給弁を前記第二状態へと切り替える監視回路部と、
時間の経過を計測する第二タイマを含み、前記検出器から、前記第二タンクに貯留されたインクの量が前記基準量である、又は前記第二タンクに貯留されたインクの量が前記基準量を下回ったことを示す下限値信号を取得し、前記供給弁を前記第一状態へと切り替え、前記供給弁を前記第二状態へと切り替える制御部と、を備え、
前記制御部は、
前記検出器から前記下限値信号を取得した場合、前記供給弁を前記第一状態へと切り替え、前記第二タイマによる時間の計測を新たに始動し、
前記第二タイマにより計測される第二計測時間が第三基準時間となった場合、又は前記第二計測時間が第三基準時間を超えた場合、前記供給弁を前記第二状態へと切り替え、
前記監視回路部は、前記検出器から前記上限値信号を取得した場合、前記供給弁を前記第二状態へと切り替える、インクジェット記録装置。
【請求項５】
前記監視回路部に電力を供給する供給源として、前記制御部への電力の供給源とは異なる電池による内部電源を備える、請求項１から請求項４の何れか１項に記載のインクジェット記録装置。
【請求項６】
前記内部電源は、二次電池であり、
前記内部電源の電圧を計測する電圧計測部と、
前記内部電源を充電する充電回路部と、を備える、請求項５に記載のインクジェット記録装置。
【請求項７】
前記監視回路部を被覆し、接地された金属製のカバーを備える、請求項１から請求項６の何れか１項に記載のインクジェット記録装置。
【発明の詳細な説明】
【技術分野】
【０００１】
本発明は、インクジェット記録装置に関する。
【背景技術】
【０００２】
インクジェット記録装置に関する技術が提案されている。例えば、特許文献１には、インクジェットプリンタのインク供給装置が開示されている。インク供給装置は、キャリッジ用インクタンクと、補給用インクタンクと、インク貯溜部と、第一開閉弁と、第二開閉弁と、開閉弁制御部を備える。インク供給装置は、補給用インクタンクからキャリッジ用インクタンクにインクを補給する。キャリッジ用インクタンクは、インクノズルを有したインクキャリッジに備えられる。補給用インクタンクは、キャリッジ用インクタンクにインクを補給する。インク貯溜部は、補給用インクタンクとキャリッジ用インクタンクの間に設けられる。インク貯溜部は、インクを一時的に貯溜する。第一開閉弁は、インク貯溜部と補給用インクタンクの間に設けられる。第二開閉弁は、インク貯溜部とキャリッジ用インクタンクの間に設けられる。開閉弁制御部は、第一開閉弁と第二開閉弁が同時に開かれた状態とならないよう第一開閉弁と第二開閉弁の開閉動作を制御する。開閉弁制御部は、キャリッジ用インクタンクへのインク補給時に、閉じられた状態の第一開閉弁と第二開閉弁のうち、第一開閉弁を開く。開閉弁制御部は、補給用インクタンクからインク貯溜部へのインクの供給から一定時間後、第一開閉弁を閉じる。その後、開閉弁制御部は、第二開閉弁を開く。これに伴い、インクがキャリッジ用インクタンクへと補給される。開閉弁制御部は、補給の完了により第二開閉弁を閉じる。
【０００３】
特許文献２には、記録装置が開示されている。記録装置における液体補給機構は、液体溜め部と、液体充填装置を備える。液体溜め部は、インクジェットプリンタ用の印刷ヘッドにインクを供給する。液体充填装置は、液体貯蔵液室と、供給弁と、供給パイプにより構成される。供給弁は、アクチュエータで動作制御される。供給弁は、弁の開閉動作が可能な可動弁である。インク補給中に停電により主電源からの供給が停止した場合、電源供給が二次電源により開始される。供給弁は閉じる。これにより、液体充填装置と液体溜め部の接続部分等からの不本意な液体漏れが防止される。液体充填装置と液体溜め部は分離される。二次電源として充電電池が利用される。
【先行技術文献】
【特許文献】
【０００４】
【特許文献１】特許第３６０７８３９号公報
【特許文献２】特開２００４−９４８７号公報
【発明の概要】
【発明が解決しようとする課題】
【０００５】
インクジェット記録装置では、インクジェットヘッドから各種の記録媒体にインクを吐出し、画像を高精細に記録することができる。インクジェット記録装置は、インクジェットヘッドに供給されるインクを貯留するタンクとして、第一タンクと第二タンクを備える。第一タンクは、インクを貯留する主たるタンクである。第二タンクは、インクジェットヘッドに供給されるインクを副次的に貯留するタンクである。第一タンクと第二タンクは、供給流路により接続される。供給流路の途中には、供給弁が設けられる。供給弁は、供給流路を閉鎖し開放する。供給弁が閉じられた場合、供給流路は閉鎖状態となる。供給弁が開かれた場合、供給流路は開放状態となる。供給弁は、第二タンクへのインクの供給が行われない場合、閉じられた状態とされる。第二タンクに貯留されたインクの量が減少し、第二タンクにインクを供給する場合、供給弁は、開かれた状態とされる。供給弁は、第二タンクへのインクの供給が開始された後、所定のタイミングで、閉じられた状態とされる。供給弁の開閉は、インクジェット記録装置の制御部により制御される。制御部は、第二タンクに貯留されたインクの量を検出する検出器からの検出信号に従い、供給弁を開かれた状態とする。
【０００６】
発明者は、供給弁が開かれ、インクが第二タンクに供給されている状態で、インクジェット記録装置に不測の事態が発生した場合の対応を検討した。不測の事態としては、例えば、制御部の誤動作と、制御部の停止が挙げられる。第二タンクへのインクの供給時に、前述したような不測の事態がインクジェット記録装置に発生したとする。この場合、第二タンクへのインクの供給が開始された後、供給弁を閉じる制御が正常に行われなくなることが想定される。インクの供給が開始された後、所定のタイミングで供給弁が閉じられない場合、例えば、インクが第二タンクから溢れ出すことになる。即ち、発明者は、インクジェット記録装置に生じた不測の事態により、例えば、インクが第二タンクから溢れ出すことを未然に防止可能な構成を検討した。
【０００７】
本発明は、第一タンクから第二タンクへのインクの供給時における制御部の誤動作又は停止に対応可能なインクジェット記録装置を提供することを目的とする。
【課題を解決するための手段】
【０００８】
本発明の一側面は、インクを吐出するインクジェットヘッドと、インクを貯留する第一タンクと、前記第一タンクから供給されたインクを貯留し、前記インクジェットヘッドと接続される第二タンクと、前記第二タンクに貯留されたインクの量を検出する検出器と、前記第一タンクと前記第二タンクとを接続し、前記第一タンクから前記第二タンクに供給されるインクが流れる供給流路と、前記供給流路を介して前記第一タンクから前記第二タンクにインクを送る送液部と、前記供給流路の途中に設けられ、前記供給流路を開放させる第一状態と、前記供給流路を閉鎖させる第二状態と、に切り替わる供給弁と、時間の経過を計測する第一タイマを含み、前記供給弁を前記第二状態へと切り替える監視回路部と、前記検出器から、前記第二タンクに貯留されたインクの量が基準量である、又は前記第二タンクに貯留されたインクの量が基準量を下回ったことを示す下限値信号を取得し、前記供給弁を前記第一状態へと切り替え、前記供給弁を前記第二状態へと切り替え、前記監視回路部に前記第一タイマによる時間の計測を新たに始動させる制御部と、を備え、前記制御部は、前記検出器から前記下限値信号を取得した場合、前記監視回路部に前記第一タイマによる時間の計測を新たに始動させ、前記供給弁を前記第一状態へと切り替え、前記供給弁を前記第一状態へと切り替えた場合、前記供給弁を前記第二状態へと切り替え、前記監視回路部は、前記第一タイマにより計測される第一計測時間が第一基準時間となった場合、又は前記第一計測時間が第一基準時間を超えた場合、前記供給弁を前記第二状態へと切り替える、インクジェット記録装置である。
【０００９】
これによれば、監視回路部により、第一状態の供給弁を、供給流路を閉鎖させる第二状態へと切り替えることができる。インクジェット記録装置が正常な状態であるとする。制御部は、検出器から下限値信号を取得し、供給弁を第一状態へと切り替えた場合、供給弁を第二状態へと切り替える。ここで、制御部が誤動作を起こし又は制御部が動作を停止した場合、制御部による前述した制御は、正常に行われなくなることが想定される。第二タンクへのインクの供給時に、制御部が前述した状態になったと仮定する。この場合、第一状態の供給弁を第二状態へと切り替えることができなくなることを想定する必要がある。例えば、第二タンクへのインクの供給が継続され、第二タンクからインクが溢れ出すといった状態は、回避されなければならない。インクジェット記録装置では、第一タイマで、第二タンクへのインクの供給の開始に対応させた時間が計測される。監視回路部は、第一タイマにより計測される第一計測時間が第一基準時間となった場合、又は第一計測時間が第一基準時間を超えた場合、供給弁を第二状態へと切り替える。そのため、第二タンクへのインクの供給を停止させることができる。
【００１０】
インクジェット記録装置では、前記制御部は、時間の経過を計測する第二タイマを含み、前記検出器から前記下限値信号を取得した場合、前記第二タイマによる時間の計測を新たに始動し、前記第二タイマにより計測される第二計測時間が第二基準時間となった場合、又は前記第二計測時間が第二基準時間を超えた場合、前記供給弁を前記第二状態へと切り替え、前記監視回路部は、前記第二基準時間より長い前記第一基準時間を基準として、前記供給弁を前記第二状態へと切り替える、ようにしてもよい。これによれば、制御部が正常に動作している状態では、制御部による制御により、第一状態の供給弁を第二状態へと切り替えることができる。供給弁の第二状態への切り替えに関し、第一基準時間を第二基準時間より長くすることで、第二計測時間と第二基準時間に従った制御部による制御を監視回路部の動作より優先させることができる。
【００１１】
インクジェット記録装置では、前記制御部は、前記検出器から、前記第二タンクに貯留されたインクの量が前記基準量より多い上限値である、又は前記第二タンクに貯留されたインクの量が前記上限値を上回ったことを示す上限値信号を取得し、前記検出器から前記上限値信号を取得した場合、前記供給弁を前記第二状態へと切り替える、ようにしてもよい。これによれば、制御部は、検出器からの上限値信号により、第一状態の供給弁を第二状態へと切り替えることができる。供給弁の第二状態への切り替えに関し、第一基準時間に対して、第二タンクに貯留されたインクの量が基準量から上限値となるのに要する時間を適宜設定することで、上限値信号に従った制御部による制御を監視回路部の動作より優先させることができる。制御部が第二タイマを含む場合における供給弁の第二状態への切り替えに関し、第二計測時間が第二基準時間となっていない状態で、制御部が上限値信号を取得することで、上限値信号に従った制御部による制御を監視回路部の動作より優先させることができる。制御部が第二タイマを含む場合における供給弁の第二状態への切り替えに関し、上限値信号が取得されていない状態で、第二計測時間が第二基準時間となり、又は第二計測時間が第二基準時間を超えることで、第二計測時間と第二基準時間に従った制御部による制御を監視回路部の動作より優先させることができる。
【００１２】
本発明の他の側面は、インクを吐出するインクジェットヘッドと、インクを貯留する第一タンクと、前記第一タンクから供給されたインクを貯留し、前記インクジェットヘッドと接続される第二タンクと、前記第二タンクに貯留されたインクの量を検出する検出器と、前記第一タンクと前記第二タンクとを接続し、前記第一タンクから前記第二タンクに供給されるインクが流れる供給流路と、前記供給流路を介して前記第一タンクから前記第二タンクにインクを送る送液部と、前記供給流路の途中に設けられ、前記供給流路を開放させる第一状態と、前記供給流路を閉鎖させる第二状態と、に切り替わる供給弁と、前記検出器から、前記第二タンクに貯留されたインクの量が基準量より多い上限値である、又は前記第二タンクに貯留されたインクの量が前記上限値を上回ったことを示す上限値信号を取得し、前記供給弁を前記第二状態へと切り替える監視回路部と、時間の経過を計測する第二タイマを含み、前記検出器から、前記第二タンクに貯留されたインクの量が前記基準量である、又は前記第二タンクに貯留されたインクの量が前記基準量を下回ったことを示す下限値信号を取得し、前記供給弁を前記第一状態へと切り替え、前記供給弁を前記第二状態へと切り替える制御部と、を備え、前記制御部は、前記検出器から前記下限値信号を取得した場合、前記供給弁を前記第一状態へと切り替え、前記第二タイマによる時間の計測を新たに始動し、前記第二タイマにより計測される第二計測時間が第三基準時間となった場合、又は前記第二計測時間が第三基準時間を超えた場合、前記供給弁を前記第二状態へと切り替え、前記監視回路部は、前記検出器から前記上限値信号を取得した場合、前記供給弁を前記第二状態へと切り替える、インクジェット記録装置である。
【００１３】
これによれば、監視回路部により、第一状態の供給弁を、供給流路を閉鎖させる第二状態へと切り替えることができる。インクジェット記録装置が正常な状態であるとする。制御部は、検出器から下限値信号を取得し、供給弁を第一状態へと切り替えた場合、供給弁を第二状態へと切り替える。ここで、制御部が誤動作を起こし又は制御部が動作を停止した場合、制御部による前述した制御は、正常に行われなくなることが想定される。第二タンクへのインクの供給時に、制御部が前述した状態になったと仮定する。この場合、第一状態の供給弁を第二状態へと切り替えることができなくなることを想定する必要がある。例えば、第二タンクへのインクの供給が継続され、第二タンクからインクが溢れ出すといった状態は、回避されなければならない。インクジェット記録装置では、監視回路部は、上限値信号を取得する。監視回路部は、上限値信号を取得した場合、供給弁を第二状態へと切り替える。そのため、第二タンクへのインクの供給を停止させることができる。
【００１４】
インクジェット記録装置は、前記監視回路部に電力を供給する供給源として、前記制御部への電力の供給源とは異なる電池による内部電源を備える、ようにしてもよい。これによれば、内部電源から監視回路部に電力を供給することができる。
【００１５】
インクジェット記録装置では、前記内部電源は、二次電池であってもよい。この場合、インクジェット記録装置は、前記内部電源の電圧を計測する電圧計測部と、前記内部電源を充電する充電回路部と、を備える、ようにしてもよい。これによれば、内部電源の電圧が低下した場合、内部電源を充電することができる。
【００１６】
インクジェット記録装置は、前記監視回路部を被覆し、接地された金属製のカバーを備える、ようにしてもよい。これによれば、監視回路部を放射ノイズから保護することができる。
【発明の効果】
【００１７】
本発明によれば、第一タンクから第二タンクへのインクの供給時における制御部の誤動作又は停止に対応可能なインクジェット記録装置を得ることができる。
【図面の簡単な説明】
【００１８】
【図１】インクジェット記録装置の概略構成の一例を示すブロック図である。
【図２】第一実施例のインク供給処理の第一部分のフローチャートである。
【図３】第一実施例のインク供給処理の第二部分のフローチャートである。
【図４】第一実施例の監視動作を示すフローチャートである。
【図５】第二実施例のインク供給処理の第一部分のフローチャートである。
【図６】第二実施例のインク供給処理の第二部分のフローチャートである。
【図７】第二実施例の監視動作を示すフローチャートである。
【発明を実施するための形態】
【００１９】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。
【００２０】
＜インクジェット記録装置＞
インクジェット記録装置１０について、図１を参照して説明する。図１は概念図である。例えば、インクジェット記録装置１０の所定の各部を接続する電気配線は、図１とは異なる態様となることもある。インクジェット記録装置１０では、各種の記録媒体の記録面に画像が記録される。記録媒体としては、例えば、布帛又は建築用資材が挙げられる。画像の記録に用いられるインクは、例えば、ブラック、マゼンタ、イエロー及びシアンの４色である。但し、これら各色のインクとは異なる色のインクを用いるようにしてもよい。インクの色数は、３色以下又は５色以上としてもよい。実施形態では、インク色を区別することなく説明する。
【００２１】
インクジェット記録装置１０は、図１に示すように、インクジェットヘッド１２と、第一タンク１４と、第二タンク１６と、検出器１８と、供給流路２０と、送液部２２と、供給弁２４と、接続流路２６と、制御装置３０と、報知部７０を備える。インクジェット記録装置１０では、インクジェットヘッド１２と第一タンク１４と第二タンク１６と検出器１８と供給流路２０と送液部２２と供給弁２４と接続流路２６は、画像の記録に用いられる各色のインクに対応して設けられる。例えば、ブラック、マゼンタ、イエロー及びシアンの４色のインクが用いられる場合、前述した各部１２〜２６は、４色のインクに対応して４組設けられる。上述した通り、実施形態では、インク色を区別することなく説明することとしている。従って、図１では、色毎の各部１２〜２６に関する図示は簡略化されている。図１において、ハッチングは、断面された部分を示す。
【００２２】
インクジェットヘッド１２は、インクを吐出する。インクジェットヘッド１２には、インクを吐出するノズルが複数形成される。インクジェット記録装置１０における画像の記録は、不図示の搬送部により、記録媒体を所定の方向に搬送して行われる。記録媒体は、搬送途中に各色用のインクジェットヘッド１２を通過する。その際、各色用のインクジェットヘッド１２から対応する色のインクが吐出される。吐出された各色のインクのインク滴は、記録媒体の記録面に着弾する。これにより、画像が記録媒体の記録面に記録される。
【００２３】
第一タンク１４は、インクを貯留する。第二タンク１６は、第一タンク１４から供給されたインクを貯留する。第一タンク１４は、「メインタンク」と称されることがある。第二タンク１６は、「サブタンク」と称されることがある。検出器１８は、第二タンク１６に貯留されたインクの量を検出する。検出器１８によるインクの量の検出は、公知のインクジェット記録装置と同様、例えば、第二タンク１６に貯留されたインクの液面を検出することで行われる。検出器１８は、検出された液面レベルを示す検出信号を出力する。実施形態では、液面レベルを示す検出信号を「液面レベル信号」という。
【００２４】
供給流路２０は、第一タンク１４と第二タンク１６を接続する。供給流路２０には、第一タンク１４から第二タンク１６に供給されるインクが流れる。送液部２２は、供給流路２０を介して第一タンク１４から第二タンク１６にインクを送る。送液部２２は、例えば、送液用のポンプである。送液部２２がポンプである場合、送液部２２は、供給流路２０の途中に設けられる。但し、送液部２２は、ポンプとは異なる構成であってもよい。例えば、送液部２２は、第一タンク１４の内部を加圧することで、第一タンク１４からインクを流出させ、供給流路２０にインクを流すタイプの装置であってもよい。この場合、送液部２２は、圧縮エアを送出する圧縮機を含む。送液部２２によるインクの供給速度は一定とされる。インクの供給速度は、第二タンク１６に供給される単位時間当たりのインクの量である。
【００２５】
供給弁２４は、供給流路２０を開放し閉鎖する電磁弁である。供給弁２４は、供給流路２０の途中に設けられる。送液部２２がポンプである場合、供給弁２４は、送液部２２と第二タンク１６の間となる供給流路２０の途中に設けられる。供給弁２４が開かれた場合、供給流路２０は開放される。供給弁２４が閉じられた場合、供給流路２０は閉鎖される。供給弁２４は、第二タンク１６へのインクの供給時に開かれ、供給の終了に伴い閉じられる。実施形態では、供給流路２０を開放させる供給弁２４の状態を「第一状態」という。第一状態は、供給弁２４が開かれた状態である。供給流路２０を閉鎖させる供給弁２４の状態を「第二状態」という。第二状態は、供給弁２４が閉じられた状態である。接続流路２６は、第二タンク１６とインクジェットヘッド１２を接続する。接続流路２６には、第二タンク１６からインクジェットヘッド１２に供給されるインクが流れる。
【００２６】
インクジェット記録装置１０において、インクは、第一タンク１４から流出し、供給流路２０と供給弁２４を流れて第二タンク１６に供給される。第二タンク１６に供給されたインクは、接続流路２６を流れて、インクジェットヘッド１２に供給される。即ち、第二タンク１６は、インクジェットヘッド１２に供給されるインクを副次的に貯留する。
【００２７】
制御装置３０は、制御部３２と、監視回路部４４と、制御基板４８と、切替部４９と、接続インターフェース５０と、電源ユニット５２と、内部電源５４と、電圧計測部５６と、充電回路部５８と、カバー６０を備える。実施形態では、接続インターフェース５０を「接続Ｉ／Ｆ５０」と記載する。制御部３２は、ＣＰＵ３４と、記憶部３６と、ＲＡＭ３８と、第二タイマ４０により構成される。換言すれば、ＣＰＵ３４と記憶部３６とＲＡＭ３８と第二タイマ４０は、制御部３２に含まれる。
【００２８】
ＣＰＵ３４は、演算処理を実行し、インクジェット記録装置１０で実行される各種の処理を制御する。記憶部３６は、例えば、不揮発性のメモリ及び／又はハードディスクである。記憶部３６には、インクジェット記録装置１０で実行される各種の処理のプログラムが記憶される。後述するインク供給処理として、図２及び図３に示す第一実施例のインク供給処理が採用されるとする。この場合、第一実施例のインク供給処理用のプログラムが、記憶部３６に記憶される。インク供給処理として、図５及び図６に示す第二実施例のインク供給処理が採用されるとする。この場合、第二実施例のインク供給処理用のプログラムが、記憶部３６に記憶される。この他、画像の記録に関するプログラムが記憶部３６に記憶される。ＲＡＭ３８は、ＣＰＵ３４が記憶部３６に記憶されたプログラムを実行する際の作業領域となる。ＲＡＭ３８には、処理の実行途中に所定のデータが記憶される。
【００２９】
第二タイマ４０は、時間の経過を計測する。第二タイマ４０は、ハードウェアタイマにより構成することができる。但し、第二タイマ４０は、ソフトウェアタイマとしてもよい。即ち、第二タイマ４０は、ハードウェアタイマ又はソフトウェアタイマの何れであってもよい。ソフトウェアタイマは、ＣＰＵ３４が実行する記憶部３６に記憶された所定のプログラムによるプロセスにより実現される。
【００３０】
監視回路部４４は、第一実施例のインク供給処理（図２及び図３参照）又は第二実施例のインク供給処理（図５及び図６参照）の実行途中にインクジェット記録装置１０に不測の事態が発生した場合に、切替部４９に第二閉鎖信号を出力する（図４のＳ５７又は図７のＳ９７参照）。第二閉鎖信号については後述する。監視回路部４４は、各色用の供給弁２４に対応する各切替部４９のそれぞれに対応させて設けられる。監視回路部４４は、前述した機能を実現可能な集積回路である。インク供給処理として第一実施例のインク供給処理（図２及び図３参照）が採用される場合、監視回路部４４は、第一タイマ４６を含む。第一タイマ４６は、時間の経過を計測する。第一タイマ４６は、ハードウェアタイマである。第一タイマ４６は、上述した第二タイマ４０とは異なる独立したクロック信号により動作する。換言すれば、第二タイマ４０は、第一タイマ４６とは異なる独立したクロック信号により動作する。インク供給処理として第二実施例のインク供給処理（図５及び図６参照）が採用される場合、監視回路部４４において、第一タイマ４６は、省略するようにしてもよい。
【００３１】
監視回路部４４が第一タイマ４６を含む場合、監視回路部４４として、汎用のウォッチドックタイマを採用することができる。ウォッチドックタイマでは、電力の供給の開始と共に時間の計測が開始される。監視回路部４４をウォッチドックタイマとすることで、監視回路部４４をコンパクトにすることができる。監視回路部４４のコストを削減することもできる。ウォッチドックタイマは公知の集積回路であるため、これに関するこの他の説明は省略する。
【００３２】
制御基板４８は、プリント配線基板により構成される。制御基板４８には、ハードウェアによる構成が取り付けられ又は接続される。例えば、制御基板４８には、ＣＰＵ３４とＲＡＭ３８が取り付けられる。記憶部３６が不揮発性のメモリとしてのＲＯＭを含む場合、ＲＯＭは、制御基板４８に取り付けられる。記憶部３６がハードディスクを含む場合、ハードディスクは、所定の通信ケーブルを介して制御基板４８に接続される。第二タイマ４０がハードウェアタイマである場合、第二タイマ４０は、制御基板４８に取り付けられる。更に、ＣＰＵ３４等による制御部３２とは独立したハードウェアである監視回路部４４も、制御基板４８に取り付けられる。
【００３３】
切替部４９は、供給弁２４を第一状態とし、供給弁２４を第二状態とする、スイッチ回路である。即ち、切替部４９は、供給弁２４を第一状態とする状態となる。切替部４９は、供給弁２４を第二状態とする状態となる。切替部４９は、第一入力端子と、第二入力端子と、出力端子を備える。第一入力端子には、ＣＰＵ３４（制御部３２）から出力される、第一開放信号と第一閉鎖信号が入力される。第一入力端子は、第一開放信号の入力に応じて、Ｈレベルとなる。第一入力端子は、第一閉鎖信号の入力に応じて、Ｌレベルとなる。第二入力端子には、対応する監視回路部４４から出力される、第二開放信号と第二閉鎖信号が入力される。第二入力端子は、第二開放信号の入力に応じて、Ｈレベルとなる。第二入力端子は、第二閉鎖信号の入力に応じて、Ｌレベルとなる。出力端子では、開放制御信号が、供給弁２４に出力される。出力端子では、第一入力端子と第二入力端子が共にＨレベルである場合、開放制御信号が供給弁２４に出力される。これに伴い、供給弁２４は、第一状態となる。出力端子では、第一入力端子又は第二入力端子がＬレベルである場合、開放制御信号は供給弁２４に出力されない。これに伴い、供給弁２４は、第二状態となる。開放制御信号が出力端子から供給弁２４に出力されない状態は、閉鎖制御信号が出力端子から供給弁２４に出力されている状態であってもよい。スイッチ回路としての切替部４９は、ＡＮＤ回路である。切替部４９は、上述したように、各色用の供給弁２４のそれぞれに対応させて設けられる。切替部４９は、制御基板４８に取り付けられる。
【００３４】
接続Ｉ／Ｆ５０は、制御装置３０に所定の装置を接続するインターフェースである。接続Ｉ／Ｆ５０は、制御基板４８に取り付けられる。実施形態において、接続Ｉ／Ｆ５０に接続される装置は、検出器１８と報知部７０と情報処理装置８０である。検出器１８から出力された液面レベル信号は、接続Ｉ／Ｆ５０を介して制御装置３０に入力される。液面レベル信号は、接続Ｉ／Ｆ５０から制御部３２に出力される。インク供給処理として第二実施例のインク供給処理（図５及び図６参照）が採用される場合、液面レベル信号は、接続Ｉ／Ｆ５０から監視回路部４４に出力される。報知部７０に対する報知信号は、接続Ｉ／Ｆ５０から出力される。報知信号については後述する。情報処理装置８０は、例えば、パーソナルコンピュータである。情報処理装置８０は、表示部を含む。情報処理装置８０では、第一実施例のインク供給処理（図２及び図３参照）又は第二実施例のインク供給処理（図５及び図６参照）に応じて、表示部に所定の情報が表示される。この点については後述する。
【００３５】
電源ユニット５２は、外部電源に接続され、外部電源から電力の供給を受ける。電源ユニット５２は、更に、制御基板４８に設けられた給電端子（不図示）に接続される。電源ユニット５２は、外部電源から供給された電力を、制御基板４８に供給する。制御基板４８に供給された電力は、例えば、制御基板４８に設けられたＣＰＵ３４と記憶部３６とＲＡＭ３８と充電回路部５８に供給される。ＣＰＵ３４と記憶部３６とＲＡＭ３８は、電源ユニット５２から供給された電力により動作する。
【００３６】
内部電源５４は、二次電池である。内部電源５４は、監視回路部４４に電力を供給する。監視回路部４４は、内部電源５４から供給された電力により動作する。電源ユニット５２から制御基板４８に電力が供給されている場合、監視回路部４４へは、電源ユニット５２から制御基板４８に供給された電力が供給されるようにしてもよい。インクジェット記録装置１０に不測の事態が生じ、電源ユニット５２から制御基板４８に電力が供給されなくなったとする。この場合、内部電源５４から監視回路部４４に電力が供給される。電圧計測部５６は、内部電源５４の電圧を計測する。充電回路部５８は、電源ユニット５２から供給された電力により、内部電源５４を充電する。内部電源５４と電圧計測部５６と充電回路部５８は、制御部３２と監視回路部４４と共に制御基板４８に取り付けられる。電圧計測部５６で検出された電圧値は、検出信号として制御部３２に入力される。ＣＰＵ３４は、電圧値を示す検出信号を取得する。ＣＰＵ３４は、例えば、取得された検出信号が示す電圧値が基準電圧値より低い場合、充電の開始を指令する指令信号を出力する。この指令信号は、充電回路部５８に入力される。充電回路部５８では、この指令信号の入力に応じて、内部電源５４の充電が開始される。これに伴い、電源ユニット５２から供給された電力が充電回路部５８を介して内部電源５４に充電される。
【００３７】
カバー６０は、制御基板４８に取り付けられた、監視回路部４４と内部電源５４と電圧計測部５６と充電回路部５８を被覆する。カバー６０は、金属材料により形成される。カバー６０は接地される。報知部７０は、インクジェット記録装置１０に不測の事態が生じたことを報知する。報知部７０としては、例えば、表示灯又は信号灯のようなランプ、又はブザーが挙げられる。作業者は、報知部７０による報知により、インクジェット記録装置１０に不測の事態が生じたことを認識することができる。
【００３８】
＜インク供給方法＞
インク供給方法の概略を説明する。インク供給方法は、正常な状態にあるインクジェット記録装置１０において、第一タンク１４から第二タンク１６にインクを供給する際に行われる。インク供給方法は、例えば、インクジェット記録装置１０で画像の記録が行われている途中に行われる。即ち、インクジェット記録装置１０で、画像の記録が継続されると、第二タンク１６では、貯留されているインクの量が減少する。検出器１８は、第二タンク１６に貯留されたインクの量が基準量となった場合、又は第二タンク１６に貯留されたインクの量が基準量を下回った場合、液面レベル信号としての下限値信号を出力する。基準量は、第二タンク１６に貯留されたインクの量の下限値として予め設定される。下限値信号は、第二タンク１６に貯留されたインクの量が基準量となった、又はこれを下回ったことを示す液面レベル信号である。検出器１８は、例えば、一定周期で繰り返して液面レベル信号を出力する。検出器１８は、ＣＰＵ３４からの要求に応じて、液面レベル信号を出力するようにしてもよい。
【００３９】
検出器１８から出力された下限値信号は、接続Ｉ／Ｆ５０を介して制御装置３０に入力され、ＣＰＵ３４はこれを取得する。下限値信号を取得したＣＰＵ３４は、切替部４９に第一開放信号を出力する。切替部４９では、第一開放信号の入力に応じて、第一入力端子がＨレベルとなる。複数色のインクを対象とするインクジェット記録装置１０において、第一開放信号の出力先となる切替部４９は、次の供給流路２０に設けられた供給弁２４に対応する切替部である。即ち、前述した供給流路２０は、下限値信号を出力した検出器１８が設けられた第二タンク１６に接続される供給流路である。
【００４０】
監視回路部４４では、後述するように、電力の供給の開始に合わせて、第一実施例の監視動作（図４参照）又は第二実施例の監視動作（図７参照）が開始される。監視回路部４４は、監視動作を開始させた直後に、切替部４９に第二開放信号を出力する（図４のＳ５１又は図７のＳ９１参照）。切替部４９では、第二開放信号の入力に応じて、第二入力端子がＨレベルとなる。従って、切替部４９は、ＣＰＵ３４からの第一開放信号の入力に応じて、第一入力端子と第二入力端子が共にＨレベルとなる。これに伴い、開放制御信号が切替部４９の出力端子から、上述した供給流路２０に設けられた供給弁２４に出力され、この供給弁２４は第一状態となる。この結果、上述した供給流路２０は、開放状態となる。インクは、第一タンク１４の側から供給弁２４を通過して第二タンク１６の側に流れ、第二タンク１６に供給される。インクの供給速度は一定とされる。
【００４１】
第二タンク１６にインクが供給されると、この第二タンク１６に貯留されたインクの量は、増加する。インクジェット記録装置１０において、第一実施例のインク供給処理（図２及び図３参照）が採用されるとする。この場合、前述した第二タンク１６に設けられた検出器１８は、インクの量が上限値に達したタイミング、又はインクの量が上限値を超えたタイミングで、上限値信号を出力する。検出器１８から出力された上限値信号は、接続Ｉ／Ｆ５０を介して制御装置３０に入力され、ＣＰＵ３４はこれを取得する。上限値信号を取得したＣＰＵ３４は、切替部４９に第一閉鎖信号を出力する。第二タンク１６に貯留させるインクの量の上限値は、第二タンク１６においてインクが貯留される貯留室の容積より小さな値とされる。上限値信号は、第二タンク１６に貯留されたインクの量が上限値となった、又はこれを上回ったことを示す液面レベル信号である。
【００４２】
インクジェット記録装置１０において、第二実施例のインク供給処理（図５及び図６参照）が採用されるとする。この場合、インクジェット記録装置１０では、第二タンク１６へのインクの供給が開始された後の時間の経過が、第二タイマ４０によって計測される。第二タイマ４０により計測される第二計測時間が第三基準時間となった場合、又は第二計測時間が第三基準時間を超えた場合、ＣＰＵ３４は、切替部４９に第一閉鎖信号を出力する。第三基準時間は、第二タンク１６に貯留されたインクの量が、上述した基準量から、第二タンク１６に貯留させるインクの量として予め定めた量となるのに要する時間である。第二タンク１６に貯留させるインクの量として予め定めた量は、第二タンク１６に貯留させるインクの量の上限値より、僅かに少ない量に設定される。第二タンク１６に貯留させるインクの量の上限値は、上述した通り、第二タンク１６においてインクが貯留される貯留室の容積より小さな値とされる。第三基準時間は、開放状態とされた供給流路２０を介したインクの供給速度を考慮して設定される。第三基準時間は、インク供給処理のプログラムに予め登録されている。
【００４３】
複数色のインクを対象とするインクジェット記録装置１０において、第一閉鎖信号の出力先となる切替部４９は、第一実施例のインク供給処理（図２及び図３参照）又は第二実施例のインク供給処理（図５及び図６参照）の何れについても、次の供給流路２０に設けられた供給弁２４に対応する切替部である。即ち、前述した供給流路２０は、下限値信号を出力した検出器１８が設けられた第二タンク１６に接続される供給流路である。換言すれば、第一閉鎖信号の出力先となる切替部４９は、上述した第一開放信号の出力先と同じ切替部である。切替部４９では、第一閉鎖信号の入力に応じて、第一入力端子がＬレベルとなる。これに伴い、開放制御信号が切替部４９の出力端子から前述した供給弁２４に出力されなくなり、この供給弁２４は第二状態となる。この結果、前述した供給流路２０は、閉鎖状態となる。インクの流れは停止し、所定の色用の第二タンク１６へのインクの供給は終了する。
【００４４】
＜インクジェット記録装置で実行される処理及び監視動作＞
インクジェット記録装置１０において、ＣＰＵ３４により実行されるインク供給処理について、２つの実施例を説明する。上述したインク供給方法は、インク供給処理の実行に応じて行われる。インク供給処理は、画像の記録処理と共に開始される。インク供給処理は、記録処理の終了に伴い終了する。記録処理は、インクジェット記録装置１０で画像の記録が行われる場合にＣＰＵ３４により実行される処理である。更に、第一実施例の監視動作と、第二実施例の監視動作を説明する。監視動作は、監視回路部４４で実行される動作である。第一実施例の監視動作は、第一実施例のインク供給処理に対応する監視回路部４４の動作である。第二実施例の監視動作は、第二実施例のインク供給処理に対応する監視回路部４４の動作である。
【００４５】
＜第一実施例＞
＜インク供給処理＞
第一実施例のインク供給処理について、図２及び図３を参照して説明する。第一実施例のインク供給処理を開始させたＣＰＵ３４は、検出器１８から液面レベル信号を取得する（Ｓ１１）。検出器１８は、液面レベル信号を出力する。検出器１８から出力された液面レベル信号は、接続Ｉ／Ｆ５０を介して制御装置３０に入力される。ＣＰＵ３４は、接続Ｉ／Ｆ５０を介して液面レベル信号を取得する。ＣＰＵ３４は、取得された液面レベル信号が下限値信号であるか否かを判断する（Ｓ１３）。液面レベル信号が下限値信号でない場合（Ｓ１３：Ｎｏ）、ＣＰＵ３４は、監視回路部４４に始動信号を出力する（Ｓ１５）。始動信号の出力先となる監視回路部４４は、次の切替部４９に対応する監視回路部である。即ち、前述した切替部４９は、次の供給流路２０に設けられた供給弁２４に対応する切替部である。前述した供給流路２０は、次の第二タンク１６に接続される供給流路である。前述した第二タンク１６は、Ｓ１１で取得された液面レベル信号を出力した検出器１８が設けられた第二タンクである。Ｓ１５を実行した後、ＣＰＵ３４は、処理をＳ１１に戻し、Ｓ１１以降の処理を実行する。
【００４６】
液面レベル信号が下限値信号である場合（Ｓ１３：Ｙｅｓ）、ＣＰＵ３４は、監視回路部４４に始動信号を出力する（Ｓ１７）。始動信号の出力先となる監視回路部４４は、次の切替部４９に対応する監視回路部である。即ち、前述した切替部４９は、次の供給流路２０に設けられた供給弁２４に対応する切替部である。前述した供給流路２０は、次の第二タンク１６に接続される供給流路である。前述した第二タンク１６は、Ｓ１１で取得された液面レベル信号としての下限値信号を出力した検出器１８が設けられた第二タンクである。換言すれば、始動信号の出力先となる監視回路部４４は、Ｓ１５における始動信号の出力先と同じ監視回路部である。Ｓ１５又はＳ１７で出力される始動信号に応じて、監視回路部４４で実行される第一実施例の監視動作については後述する。
【００４７】
次に、ＣＰＵ３４は、切替部４９の第二入力端子にアクセスし、第二入力端子の状態を取得する（Ｓ１９）。ＣＰＵ３４は、切替部４９の第二入力端子がＨレベルであるか否かを判断する（Ｓ２１）。切替部４９の第二入力端子がＨレベルでない場合（Ｓ２１：Ｎｏ）、ＣＰＵ３４は、情報処理装置８０に監視回路異常を出力する（Ｓ２３）。監視回路異常は、監視回路部４４に生じている異常に対応する情報を含む信号である。監視回路異常は、接続Ｉ／Ｆ５０から情報処理装置８０に出力される。情報処理装置８０では、監視回路異常に従い、例えば、監視回路部４４に生じている異常を特定可能なエラーコードが、表示部に表示される。監視回路異常の対象となる監視回路部４４は、上述した始動信号の出力先となる監視回路部である。作業者は、情報処理装置８０の表示部に表示されたエラーコードから、発生している異常を特定することができる。Ｓ２３を実行した後、ＣＰＵ３４は、処理をＳ１１に戻し、Ｓ１１以降の処理を実行する。
【００４８】
切替部４９の第二入力端子がＨレベルである場合（Ｓ２１：Ｙｅｓ）、ＣＰＵ３４は、切替部４９に第一開放信号を出力する（Ｓ２５）。第一開放信号の出力先となる切替部４９は、上述した通りである。切替部４９は、第一入力端子と第二入力端子が共にＨレベルとなる。これに伴い、開放制御信号が切替部４９の出力端子から、この切替部４９に対応する供給弁２４に出力される。供給弁２４は第一状態へと切り替わり、供給流路２０は開放状態となる。インクは、第一タンク１４の側から供給弁２４を通過して第二タンク１６の側に流れ、第二タンク１６に供給される。
【００４９】
続けて、ＣＰＵ３４は、情報処理装置８０にインク供給開始を出力する（Ｓ２７）。インク供給開始は、第二タンク１６へのインクの供給が開始されたことを示す情報を含む信号である。インク供給開始は、接続Ｉ／Ｆ５０から情報処理装置８０に出力される。情報処理装置８０では、インク供給開始に従い、例えば、特定の色の第二タンク１６に対するインクの供給が開始されたことを示す情報が、表示部に表示される。前述した特定の色は、Ｓ２５に関わる切替部４９に対応する供給弁２４が設けられた供給流路２０を流れるインクの色である。作業者は、情報処理装置８０の表示部に表示された前述の情報から、特定の色のインクが第二タンク１６に供給されていることを認識することができる。
【００５０】
Ｓ２７を実行した後、ＣＰＵ３４は、処理を図３のＳ２９に移行する。Ｓ２９でＣＰＵ３４は、第二タイマ４０による時間の計測を新たに始動させる。第二タイマ４０は、計測の始動に際し、リセットされる。即ち、Ｓ２９により、第二タイマ４０では、第二タンク１６へのインクの供給が開始された後の時間の経過が新たに計測される。続けて、ＣＰＵ３４は、検出器１８から液面レベル信号を取得する（Ｓ３１）。Ｓ３１は、Ｓ１１と同様の処理であり、上述したように実行される。従って、Ｓ３１に関するこの他の説明は省略する。
【００５１】
ＣＰＵ３４は、取得された液面レベル信号が上限値信号であるか否かを判断する（Ｓ３３）。液面レベル信号が上限値信号である場合（Ｓ３３：Ｙｅｓ）、ＣＰＵ３４は、処理をＳ３９に移行する。液面レベル信号が上限値信号でない場合（Ｓ３３：Ｎｏ）、ＣＰＵ３４は、第二タイマ４０により計測される第二計測時間が第二基準時間以上の時間となったか否かを判断する（Ｓ３５）。第二基準時間は、第二タンク１６に貯留されたインクの量が、上述した基準量から、第二タンク１６に貯留させるインクの量として予め定めた量となるのに要する時間である。第二タンク１６に貯留させるインクの量として予め定めた量は、第二タンク１６に貯留させるインクの量の上限値に設定される。第二基準時間は、開放状態とされた供給流路２０を介したインクの供給速度を考慮して設定される。第二基準時間は、インク供給処理のプログラムに予め登録されている。
【００５２】
第二計測時間が第二基準時間に到達していない場合（Ｓ３５：Ｎｏ）、ＣＰＵ３４は、処理をＳ３１に戻し、Ｓ３１以降の処理を実行する。ＣＰＵ３４は、第二計測時間が第二基準時間となった場合、又は第二計測時間が第二基準時間を超えた場合、Ｓ３５を肯定し（Ｓ３５：Ｙｅｓ）、情報処理装置８０に検出器異常を出力する（Ｓ３７）。検出器異常は、検出器１８に異常が生じていることを示す情報を含む信号である。検出器異常は、接続Ｉ／Ｆ５０から情報処理装置８０に出力される。情報処理装置８０では、検出器異常に従い、例えば、検出器１８に異常が生じていることを特定可能なエラーコードが、表示部に表示される。検出器異常の対象となる検出器１８は、図２のＳ２５に応じてインクの供給が開始された第二タンク１６に設けられた検出器である。作業者は、情報処理装置８０の表示部に表示されたエラーコードから、検出器１８に異常が生じていることを認識することができる。その後、ＣＰＵ３４は、処理をＳ３９に移行する。
【００５３】
Ｓ３９でＣＰＵ３４は、切替部４９に第一閉鎖信号を出力する。第一閉鎖信号の出力先となる切替部４９は、上述した通りである。切替部４９は、第一入力端子がＬレベルとなる。これに伴い、開放制御信号が切替部４９の出力端子から、この切替部４９に対応する供給弁２４に出力されなくなる。供給弁２４は第二状態へと切り替わり、供給流路２０は閉鎖状態となる。インクの流れは停止し、図２のＳ２５に応じて開始された第二タンク１６へのインクの供給は終了する。
【００５４】
続けて、ＣＰＵ３４は、情報処理装置８０にインク供給終了を出力する（Ｓ４１）。インク供給終了は、第二タンク１６へのインクの供給が終了したことを示す情報を含む信号である。インク供給終了は、接続Ｉ／Ｆ５０から情報処理装置８０に出力される。情報処理装置８０では、インク供給終了に従い、例えば、特定の色の第二タンク１６に対するインクの供給が終了したことを示す情報が、表示部に表示される。前述した特定の色は、Ｓ３９に関わる切替部４９に対応する供給弁２４が設けられた供給流路２０を流れるインクの色である。作業者は、情報処理装置８０の表示部に表示された前述の情報から、特定の色のインクの第二タンク１６への供給が終了したことを認識することができる。
【００５５】
次に、ＣＰＵ３４は、記録処理が終了したか否かを判断する（Ｓ４３）。記録処理が終了していない場合（Ｓ４３：Ｎｏ）、ＣＰＵ３４は、処理を図２のＳ１１に戻す。その後、ＣＰＵ３４は、Ｓ１１以降の処理を実行する。記録処理が終了した場合（Ｓ４３：Ｙｅｓ）、ＣＰＵ３４は、第一実施例のインク供給処理を終了する。
【００５６】
＜監視動作＞
第一実施例の監視動作について、図４を参照して説明する。ウォッチドックタイマによる監視回路部４４では、電力の供給の開始に合わせて、第一実施例の監視動作が開始される。監視動作を開始させた監視回路部４４は、切替部４９に第二開放信号を出力する（Ｓ５１）。第二開放信号の出力先となる切替部４９は、監視回路部４４に対応する切替部である。切替部４９は、第二入力端子がＨレベルとなる。監視回路部４４には、図２のＳ１５又はＳ１７で出力された始動信号が入力される。監視回路部４４は、始動信号の入力に応じて、第一タイマ４６による時間の計測を新たに始動する（Ｓ５３）。即ち、監視回路部４４では、始動信号の入力に応じて、第一タイマ４６がリセットされ、時間が新たに計測される。第一タイマ４６による時間の計測は継続される（Ｓ５５：Ｎｏ）。
【００５７】
第一実施例のインク供給処理は、記録処理が終了するまで継続される（図３のＳ４３：Ｎｏ参照）。従って、図２のＳ１５とＳ１７は、第一実施例のインク供給処理が実行されている間、繰り返して実行される。例えば、図２のＳ１５又はＳ１７のタイミングで、Ｓ５５が繰り返されていたとする。この場合、監視回路部４４では、繰り返して実行中のＳ５５が終了され、処理がＳ５３に戻る。その後、監視回路部４４では、上述したように、Ｓ５３が実行される。
【００５８】
第一タイマ４６による時間の計測が継続され、第一タイマ４６により計測される第一計測時間が第一基準時間となったとする（Ｓ５５：Ｙｅｓ）。この場合、監視回路部４４は、第二閉鎖信号を出力する（Ｓ５７）。出力された第二閉鎖信号は、監視回路部４４に対応する切替部４９に入力される。切替部４９は、第二入力端子がＬレベルとなる。これに伴い、開放制御信号が切替部４９の出力端子から、この切替部４９に対応する供給弁２４に出力されなくなる。切替部４９は、図３のＳ３９での第一閉鎖信号によらずに、監視回路部４４からの第二閉鎖信号により強制的に、開放制御信号が切替部４９の出力端子から出力されない状態へと切り替わる。供給弁２４は第二状態へと切り替わり、供給流路２０は閉鎖状態となる。
【００５９】
第一基準時間は、図３のＳ３７における第二基準時間に対応する時間である。但し、第一基準時間は、この第二基準時間より僅かに長い時間に設定される。ここで、第一基準時間は、開放状態とされた供給流路２０を介したインクの供給速度を考慮して設定される。即ち、第一基準時間は、インクの貯留量が上述した基準量である第二タンク１６にインクを供給し続けたとしても、インクが第二タンク１６から溢れ出ることのない、所定の時間に設定される。
【００６０】
Ｓ５７を実行した後、監視回路部４４は、報知信号を出力する（Ｓ５９）。出力された報知信号は、接続Ｉ／Ｆ５０を介して、報知部７０に入力される。報知信号は、監視回路部４４からの第二閉鎖信号に応じて、供給弁２４が第二状態へと切り替わったことを示す信号である。報知部７０は、報知信号の入力に応じて、供給弁２４が第二状態へと切り替わったことを示す状態へと切り替わる。報知部７０がランプであるとする。この場合、報知部７０では、報知信号の入力に応じて、例えば、所定のランプが点灯又は点滅する。報知部７０がブザーであるとする。この場合、報知部７０から警報音が出力される。報知信号の出力は継続される。従って、前述したような、報知部７０による報知動作も継続される。
【００６１】
＜第二実施例＞
＜インク供給処理＞
第二実施例のインク供給処理について、図５及び図６を参照して説明する。第二実施例のインク供給処理を開始させたＣＰＵ３４は、検出器１８から液面レベル信号を取得する（Ｓ６１）。Ｓ６１は、図２に示すＳ１１と同じ処理である。Ｓ６１は、Ｓ１１に関連して上述したように実行される。従って、Ｓ６１に関するこの他の説明は省略する。続けて、ＣＰＵ３４は、取得された液面レベル信号が下限値信号であるか否かを判断する（Ｓ６３）。液面レベル信号が下限値信号でない場合（Ｓ６３：Ｎｏ）、ＣＰＵ３４は、処理をＳ６１に戻す。その後、ＣＰＵ３４は、Ｓ６１を実行する。液面レベル信号が下限値信号である場合（Ｓ６３：Ｙｅｓ）、ＣＰＵ３４は、監視回路部４４に始動信号を出力する（Ｓ６５）。Ｓ６５は、図２に示すＳ１７と同じ処理である。Ｓ６５は、Ｓ１７に関連して上述したように実行される。従って、Ｓ６５に関するこの他の説明は省略する。Ｓ６５で出力される始動信号に応じて、監視回路部４４で実行される第二実施例の監視動作については後述する。
【００６２】
次に、ＣＰＵ３４は、切替部４９の第二入力端子にアクセスし、第二入力端子の状態を取得する（Ｓ６７）。ＣＰＵ３４は、切替部４９の第二入力端子がＨレベルであるか否かを判断する（Ｓ６９）。切替部４９の第二入力端子がＨレベルでない場合（Ｓ６９：Ｎｏ）、ＣＰＵ３４は、情報処理装置８０に監視回路異常を出力する（Ｓ７１）。Ｓ７１は、図２に示すＳ２３と同じ処理である。Ｓ７１は、Ｓ２３に関連して上述したように実行される。従って、Ｓ７１に関するこの他の説明は省略する。情報処理装置８０では、Ｓ７１に応じて、上記同様、エラーコードが表示部に表示される。Ｓ７１を実行した後、ＣＰＵ３４は、処理をＳ６１に戻し、Ｓ６１以降の処理を実行する。
【００６３】
切替部４９の第二入力端子がＨレベルである場合（Ｓ６９：Ｙｅｓ）、ＣＰＵ３４は、切替部４９に第一開放信号を出力する（Ｓ７３）。続けて、ＣＰＵ３４は、情報処理装置８０にインク供給開始を出力する（Ｓ７５）。Ｓ７３は、図２に示すＳ２５と同じ処理である。Ｓ７５は、図２に示すＳ２７と同じ処理である。Ｓ７３は、Ｓ２５に関連して上述したように実行され、Ｓ７５は、Ｓ２７に関連して上述したように実行される。従って、Ｓ７３とＳ７５に関するこの他の説明は省略する。
【００６４】
Ｓ７５を実行した後、ＣＰＵ３４は、処理を図６のＳ７７に移行する。Ｓ７７でＣＰＵ３４は、第二タイマ４０による時間の計測を新たに始動させる。Ｓ７７は、図３に示すＳ２９と同じ処理である。Ｓ７７は、Ｓ２９に関連して上述したように実行される。従って、Ｓ７７に関するこの他の説明は省略する。続けて、ＣＰＵ３４は、第二タイマ４０により計測される第二計測時間が第三基準時間以上の時間となったか否かを判断する（Ｓ７９）。第二計測時間が第三基準時間に到達していない場合（Ｓ７９：Ｎｏ）、ＣＰＵ３４は、Ｓ７９を繰り返して実行する。
【００６５】
ＣＰＵ３４は、第二計測時間が第三基準時間となった場合、又は第二計測時間が第三基準時間を超えた場合、Ｓ７９を肯定し（Ｓ７９：Ｙｅｓ）、切替部４９に第一閉鎖信号を出力する（Ｓ８１）。Ｓ８１は、図３のＳ３９と同じ処理である。Ｓ８１は、Ｓ３９に関連して上述したように実行される。従って、Ｓ８１に関するこの他の説明は省略する。切替部４９は、Ｓ８１に応じて、第一入力端子がＬレベルとなる。図５のＳ７３に応じて開始された第二タンク１６へのインクの供給は、上記同様、終了する。続けて、ＣＰＵ３４は、情報処理装置８０にインク供給終了を出力する（Ｓ８３）。Ｓ８３は、図３のＳ４１と同じ処理である。Ｓ８３は、Ｓ４１に関連して上述したように実行される。従って、Ｓ８３に関するこの他の説明は省略する。
【００６６】
次に、ＣＰＵ３４は、記録処理が終了したか否かを判断する（Ｓ８５）。記録処理が終了していない場合（Ｓ８５：Ｎｏ）、ＣＰＵ３４は、処理を図５のＳ６１に戻す。その後、ＣＰＵ３４は、Ｓ６１以降の処理を実行する。記録処理が終了した場合（Ｓ８５：Ｙｅｓ）、ＣＰＵ３４は、第二実施例のインク供給処理を終了する。
【００６７】
＜監視動作＞
第二実施例の監視動作について、図７を参照して説明する。監視回路部４４では、第一実施例の監視動作の場合と同様、電力の供給の開始に合わせて、第二実施例の監視動作が開始される。監視動作を開始させた監視回路部４４は、切替部４９に第二開放信号を出力する（Ｓ９１）。Ｓ９１は、図４に示すＳ５１と同じ処理である。Ｓ９１は、Ｓ５１に関連して上述したように実行される。従って、Ｓ９１に関するこの他の説明は省略する。監視回路部４４に対応する切替部４９は、Ｓ９１に応じて、第二入力端子がＨレベルとなる。監視回路部４４には、図５のＳ６５で出力された始動信号が入力される。監視回路部４４では、最初の始動信号の入力に応じて、検出器１８から液面レベル信号の取得が開始される。これに伴い、監視回路部４４は、検出器１８から液面レベル信号を取得する（Ｓ９３）。
【００６８】
液面レベル信号が上限値信号でない場合（Ｓ９５：Ｎｏ）、監視回路部４４では、液面レベル信号が取得される（Ｓ９３）。即ち、監視回路部４４では、上限値信号が取得されるまで、Ｓ９３とＳ９５が繰り返される。第二実施例のインク供給処理は、記録処理が終了するまで継続される（図６のＳ８５：Ｎｏ参照）。従って、図５のＳ６５は、第二実施例のインク供給処理が実行されている間、繰り返して実行される。例えば、図５のＳ６５のタイミングで、Ｓ９３とＳ９５が繰り返されていたとする。この場合、監視回路部４４では、液面レベル信号の取得が、改めて開始される。換言すれば、監視回路部４４では、Ｓ９３とＳ９５がそのまま継続される。
【００６９】
液面レベル信号が上限値信号である場合（Ｓ９５：Ｙｅｓ）、即ち、上限値信号が取得（入力）された場合、監視回路部４４は、第二閉鎖信号を出力する（Ｓ９７）。Ｓ９７は、図４に示すＳ５７と同じ処理である。Ｓ９７は、Ｓ５７に関連して上述したように実行される。従って、Ｓ９７に関するこの他の説明は省略する。監視回路部４４に対応する切替部４９は、Ｓ９７に応じて、第二入力端子がＬレベルとなる。これに伴い、開放制御信号が切替部４９の出力端子から、この切替部４９に対応する供給弁２４に出力されなくなる。切替部４９は、図６のＳ８１での第一閉鎖信号によらずに、監視回路部４４からの第二閉鎖信号により強制的に、開放制御信号が切替部４９の出力端子から出力されない状態へと切り替わる。供給弁２４は第二状態へと切り替わり、供給流路２０は閉鎖状態となる。
【００７０】
Ｓ９７を実行した後、監視回路部４４は、報知信号を出力する（Ｓ９９）。Ｓ９９は、図４に示すＳ５９と同じ処理である。Ｓ９９は、Ｓ５９に関連して上述したように実行される。従って、Ｓ９９に関するこの他の説明は省略する。報知部７０では、Ｓ９９に応じて、上述したような報知動作が実行される。
【００７１】
＜実施形態の効果＞
実施形態によれば、次のような効果を得ることができる。
【００７２】
（１）制御装置３０に、制御部３２と、監視回路部４４を設けることとした（図１参照）。制御部３２は、ＣＰＵ３４と、記憶部３６と、ＲＡＭ３８と、第二タイマ４０を含む。インク供給処理として第一実施例のインク供給処理（図２及び図３参照）が採用される場合、監視回路部４４は、第一タイマ４６を含む。第一タイマ４６は、第二タイマ４０とは異なる独立したクロック信号により動作する。インク供給処理として第二実施例のインク供給処理（図５及び図６参照）が採用される場合、監視回路部４４において、第一タイマ４６は、省略するようにしてもよい。
【００７３】
図２及び図３に示す第一実施例のインク供給処理では、Ｓ１１で取得された液面レベル信号が下限値信号である場合（図２のＳ１３：Ｙｅｓ参照）、始動信号が監視回路部４４に出力され（図２のＳ１７参照）、切替部４９の第二入力端子の状態が取得される（図２のＳ１９参照）。切替部４９の第二入力端子がＨレベルである場合（図２のＳ２１：Ｙｅｓ参照）、第一開放信号が切替部４９に出力され（図２のＳ２５参照）、第二タイマ４０による時間の計測が開始される（図３のＳ２９参照）。供給弁２４は第一状態へと切り替わり、供給流路２０は開放状態となる。インクは、第一タンク１４の側から供給弁２４を通過して第二タンク１６の側に流れ、第二タンク１６に供給される。第二タイマ４０では、第二タンク１６へのインクの供給の開始に対応させた時間が計測される。
【００７４】
第一実施例のインク供給処理では、Ｓ３１で取得された液面レベル信号が上限値信号である場合（図３のＳ３３：Ｙｅｓ参照）、第一閉鎖信号が切替部４９に出力される（図３のＳ３９参照）。更に、インク供給処理では、上限値信号が取得されていない状態であっても、第二計測時間が第二基準時間となった場合、又は第二計測時間が第二基準時間を超えた場合（図３のＳ３５：Ｙｅｓ参照）、第一閉鎖信号が切替部４９に出力される（図３のＳ３９参照）。供給弁２４は、切替部４９への第一閉鎖信号の入力に応じて、第二状態へと切り替わる。これにより、供給流路２０は閉鎖状態となり、第二タンク１６へのインクの供給が停止される。
【００７５】
図５に示す第一実施例の監視動作において、監視回路部４４では、始動信号の入力に応じて、第一タイマ４６による時間の計測が新たに始動される（図４のＳ５３参照）。その後、監視回路部４４では、第一タイマ４６により計測される第一計測時間が第一基準時間となった場合（図４のＳ５５：Ｙｅｓ参照）、第二閉鎖信号が切替部４９に出力される（図４のＳ５７参照）。供給弁２４は、切替部４９への第二閉鎖信号の入力に応じて、第二状態へと切り替わる。これにより、供給流路２０は閉鎖状態となり、第二タンク１６へのインクの供給が停止される。
【００７６】
インクジェット記録装置１０では、例えば、検出器１８が故障し、且つ制御部３２（ＣＰＵ３４）が誤動作し又は制御部３２（ＣＰＵ３４）が動作を停止した場合、次のような事態が想定される。即ち、第一実施例のインク供給処理において、第二タンク１６へのインクの供給を停止させることができなくなることが想定される。但し、インクジェット記録装置１０では、制御部３２とは別に設けた監視回路部４４の第一タイマ４６により、第二タンク１６へのインクの供給の開始に対応させた時間が計測される。そのため、仮に、制御部３２が誤動作する等しても、監視回路部４４から切替部４９に出力される第二閉鎖信号により、供給弁２４を第二状態へと切り替え、第二タンク１６へのインクの供給を停止させることができる。第二タンク１６からインクが溢れ出すことを防止することができる。第一実施例の監視動作では、報知信号が報知部７０に出力される（図４のＳ５９参照）。そのため、作業者に、制御部３２が誤動作し又は制御部３２が動作を停止したことを報知することができる。
【００７７】
制御部３２が正常に動作し、第二タイマ４０による時間の計測が正常に行われたとする。この場合、第一実施例のインク供給処理では、第二タイマ４０により第二計測時間が正常に計測される。そのため、仮に、インクジェット記録装置１０で検出器１８が故障したとしても、切替部４９に出力される第一閉鎖信号により、供給弁２４を第二状態へと切り替え、第二タンク１６へのインクの供給を停止させることができる。第二タンク１６からインクが溢れ出すことを防止することができる。監視回路異常と検出器異常が情報処理装置８０にそれぞれ出力される（図２のＳ２３及び図３のＳ３７参照）。そのため、作業者に、監視回路部４４又は検出器１８が故障したことを報知することができる。インク供給開始とインク供給終了が情報処理装置８０にそれぞれ出力される（図２のＳ２７及び図３のＳ４１参照）。そのため、作業者に、インクの供給が開始され、その後、インクの供給が終了したことを報知することができる。
【００７８】
制御部３２が正常に動作し、Ｓ３３又はＳ３５が肯定（図３のＳ３３又はＳ３５：Ｙｅｓ参照）され、第一閉鎖信号が出力され（図３のＳ３９参照）、Ｓ４３が否定（図３のＳ４３：Ｎｏ参照）されて、処理が図２のＳ１１に戻ったとする。この場合、第一実施例のインク供給処理では、Ｓ１５又はＳ１７で始動信号が監視回路部４４に出力される。監視回路部４４では、始動信号の入力に応じて、第一タイマ４６による時間の計測が新たに始動される（図４のＳ５３参照）。従って、第一タイマ４６により計測される第一計測時間が第一基準時間となる（図４のＳ５５：Ｙｅｓ参照）ことはない。そのため、第一実施例の監視動作において、第二閉鎖信号と報知信号は、切替部４９へは出力されない（図４のＳ５７及びＳ５９未実行参照）。
【００７９】
図５及び図６に示す第二実施例のインク供給処理では、Ｓ６１で取得された液面レベル信号が下限値信号である場合（図５のＳ６３：Ｙｅｓ参照）、始動信号が監視回路部４４に出力され（図５のＳ６５参照）、切替部４９の第二入力端子の状態が取得される（図５のＳ６７参照）。切替部４９の第二入力端子がＨレベルである場合（図５のＳ６９：Ｙｅｓ参照）、第一開放信号が切替部４９に出力され（図５のＳ７３参照）、第二タイマ４０による時間の計測が開始される（図６のＳ７７参照）。供給弁２４は第一状態へと切り替わり、供給流路２０は開放状態となる。インクは、第一タンク１４の側から供給弁２４を通過して第二タンク１６の側に流れ、第二タンク１６に供給される。第二タイマ４０では、第二タンク１６へのインクの供給の開始に対応させた時間が計測される。
【００８０】
第二実施例のインク供給処理では、第二計測時間が第三基準時間となった場合、又は第二計測時間が第三基準時間を超えた場合（図６のＳ７９：Ｙｅｓ参照）、第一閉鎖信号が切替部４９に出力される（図６のＳ８１参照）。供給弁２４は、切替部４９への第一閉鎖信号の入力に応じて、第二状態へと切り替わる。これにより、供給流路２０は閉鎖状態となり、第二タンク１６へのインクの供給が停止される。
【００８１】
図７に示す第二実施例の監視動作において、監視回路部４４では、始動信号の入力に応じて、液面レベル信号が取得される（図７のＳ９３参照）。監視回路部４４では、上限値信号が取得された場合（図７のＳ９５：Ｙｅｓ参照）、第二閉鎖信号が切替部４９に出力される（図７のＳ９７参照）。供給弁２４は、切替部４９への第二閉鎖信号の入力に応じて、第二状態へと切り替わる。これにより、供給流路２０は閉鎖状態となり、第二タンク１６へのインクの供給が停止される。
【００８２】
インクジェット記録装置１０では、例えば、制御部３２（ＣＰＵ３４）が誤動作し又は制御部３２（ＣＰＵ３４）が動作を停止した場合、次のような事態が想定される。即ち、第二実施例のインク供給処理において、第二タンク１６へのインクの供給を停止させることができなくなることが想定される。但し、インクジェット記録装置１０では、制御部３２とは別に設けた監視回路部４４によって、液面レベル信号が取得される。そのため、仮に、制御部３２が誤動作する等しても、監視回路部４４から切替部４９に出力される第二閉鎖信号により、供給弁２４を第二状態へと切り替え、第二タンク１６へのインクの供給を停止させることができる。第二タンク１６からインクが溢れ出すことを防止することができる。第二実施例の監視動作では、報知信号が報知部７０に出力される（図７のＳ９９参照）。そのため、作業者に、制御部３２が誤動作し又は制御部３２が動作を停止したことを報知することができる。
【００８３】
制御部３２が正常に動作し、第二タイマ４０による時間の計測が正常に行われたとする。この場合、第二実施例のインク供給処理では、第二タイマ４０により第二計測時間が正常に計測される。そのため、切替部４９に出力される第一閉鎖信号により、供給弁２４を第二状態へと切り替え、第二タンク１６へのインクの供給を停止させることができる。第二タンク１６からインクが溢れ出すことを防止することができる。監視回路異常が情報処理装置８０に出力される（図５のＳ７１参照）。そのため、作業者に、監視回路部４４が故障したことを報知することができる。インク供給開始とインク供給終了が情報処理装置８０にそれぞれ出力される（図５のＳ７５及び図６のＳ８３参照）。そのため、作業者に、インクの供給が開始され、その後、インクの供給が終了したことを報知することができる。
【００８４】
制御部３２が正常に動作し、Ｓ７９が肯定（図６のＳ７９：Ｙｅｓ参照）され、第一閉鎖信号が出力され（図６のＳ８１）、Ｓ８５が否定（図６のＳ８５：Ｎｏ参照）されて、処理が図５のＳ６１に戻ったとする。第二実施例のインク供給処理では、第三基準時間は、第二タンク１６に貯留されたインクの量が、基準量から、上限値より僅かに少ない量となるのに要する時間とされている。従って、第二タンク１６に貯留されたインクの量が上限値となる前に、Ｓ７９を肯定（図６のＳ７９：Ｙｅｓ参照）することが可能となり、監視回路部４４では、上限値信号が取得される（図７のＳ９５：Ｙｅｓ参照）ことはない。そのため、第二実施例の監視動作において、第二閉鎖信号と報知信号は、切替部４９へは出力されない（図７のＳ９７及びＳ９９未実行参照）。
【００８５】
（２）二次電池による内部電源５４を設け、監視回路部４４に電力を供給することとした（図１参照）。そのため、インクジェット記録装置１０が電源ユニット５２から電力を供給できない状態になったとしても、監視回路部４４は、第一実施例の監視動作（図４参照）又は第二実施例の監視動作（図７参照）を行うことができる。内部電源５４に対して、電圧計測部５６と充電回路部５８を設けることとした（図１参照）。そのため、内部電源５４の電圧が低下したことが検出された場合、内部電源５４を充電することができる。インクジェット記録装置１０に不測の事態が生じた場合に、監視回路部４４は、監視動作を行うことができる。
【００８６】
（３）金属性のカバー６０を設けることとした（図１参照）。カバー６０は、制御基板４８に取り付けられた、監視回路部４４と内部電源５４と電圧計測部５６と充電回路部５８を被覆する。カバー６０は接地される。そのため、監視回路部４４と内部電源５４と電圧計測部５６と充電回路部５８を、放射ノイズから保護することができる。
【００８７】
＜変形例＞
実施形態は、次のようにすることもできる。以下に示す変形例のうちの幾つかの構成は、適宜組み合わせて採用することもできる。以下では上記とは異なる点を説明することとし、同様の点についての説明は適宜省略する。
【００８８】
（１）上記では、ＣＰＵ３４等の各部が設けられる１枚の制御基板４８に、監視回路部４４を取り付けることとした（図１参照）。制御装置３０に、制御基板４８とは異なる新たな制御基板を設け、監視回路部４４は、この新たな制御基板に取り付けるようにしてもよい。この場合、内部電源５４と電圧計測部５６と充電回路部５８も、この新たな制御基板に取り付けられる。電源ユニット５２は、インクジェット記録装置１０が正常に動作している場合、この新たな制御基板に電力を供給するようにしてもよい。
【００８９】
（２）上記では、監視回路部４４と内部電源５４と電圧計測部５６と充電回路部５８を制御基板４８にそれぞれ取り付けることとした。内部電源５４、電圧計測部５６及び充電回路部５８の一部又は全部と、監視回路部４４は、モジュール化された一体の回路部とするようにしてもよい。この場合、カバー６０は、一体化された回路部を被覆する。
【００９０】
（３）上記では、内部電源５４が二次電池である場合を例として説明した。内部電源５４は、一次電池としてもよい。この場合、充電回路部５８は省略するようにしてもよい。上述した通り、ＣＰＵ３４は、電圧値を示す検出信号を取得する。ＣＰＵ３４は、取得された検出信号が示す電圧値が基準電圧値より低い場合、報知部７０に報知信号を出力するようにしてもよい。この報知信号は、内部電源の電圧低下を示す信号である。報知部７０では、この報知信号に従った報知動作が行われる。内部電源が二次電池による内部電源５４である場合も、このような報知が行われるようにしてもよい。
【００９１】
（４）上記では、図２及び図３に示す第一実施例のインク供給処理のＳ３５（図３参照）の条件を「第二計測時間≧第二基準時間」とした。Ｓ３５の条件は「第二計測時間＞第二基準時間」としてもよい。この場合、ＣＰＵ３４は、第二計測時間が第二基準時間を超えた場合、Ｓ３５を肯定し（図３のＳ３５：Ｙｅｓ参照）、処理をＳ３７に移行する。図４に示す第一実施例の監視動作のＳ５５の条件を「第一計測時間＝第一基準時間」とした。Ｓ５５の条件は「第一計測時間＞第一基準時間」としてもよい。この場合、監視回路部４４では、第一タイマ４６により計測される第一計測時間が第一基準時間を超えた場合、第二閉鎖信号が出力される（図４のＳ５７参照）。
【００９２】
図５及び図６に示す第二実施例のインク供給処理のＳ７９（図６参照）の条件を「第二計測時間≧第三基準時間」とした。Ｓ７９の条件は「第二計測時間＞第三基準時間」としてもよい。この場合、ＣＰＵ３４は、第二計測時間が第三基準時間を超えた場合、Ｓ７９を肯定し（図６のＳ７９：Ｙｅｓ参照）、処理をＳ８１に移行する。
【００９３】
（５）上記では、図２及び図３に示す第一実施例のインク供給処理のＳ２３（図２参照）で監視回路異常が出力された場合と、Ｓ３７（図３参照）で検出器異常が出力された場合、第一実施例のインク供給処理は継続されることとした。このような場合、情報処理装置８０の表示部に表示される各情報に基づき、作業者は、情報処理装置８０の操作部を介して、情報処理装置８０に、記録処理の終了指示を入力することができる。ＣＰＵ３４は、接続Ｉ／Ｆ５０を介して、情報処理装置８０で受け付けられた終了指示を取得する。その後、ＣＰＵ３４は、記録処理を終了する。記録処理の終了に伴い、第一実施例のインク供給処理も終了する。インクジェット記録装置１０では、監視回路異常又は検出器異常の出力に応じて、記録処理と第一実施例のインク供給処理が終了するようにしてもよい。図５及び図６に示す第二実施例のインク供給処理のＳ７１（図５参照）で監視回路異常が出力された場合も同様である。
【符号の説明】
【００９４】
１０  インクジェット記録装置、  １２  インクジェットヘッド、  １４  第一タンク
１６  第二タンク、  １８  検出器、  ２０  供給流路、  ２２  送液部
２４  供給弁、  ２６  接続流路、  ３０  制御装置、  ３２  制御部
３４  ＣＰＵ、  ３６  記憶部、  ３８  ＲＡＭ、  ４０  第二タイマ
４４  監視回路部、  ４６  第一タイマ、  ４８  制御基板、  ４９  切替部
５０  接続インターフェース（接続Ｉ／Ｆ）、  ５２  電源ユニット
５４  内部電源、  ５６  電圧計測部、  ５８  充電回路部、  ６０  カバー
７０  報知部、  ８０  情報処理装置
【図１】
2016159539.tif 000003
【図２】
2016159539.tif 000004
【図３】
2016159539.tif 000005
【図４】
2016159539.tif 000006
【図５】
2016159539.tif 000007
【図６】
2016159539.tif 000008
【図７】
2016159539.tif 000009